(57)【特許請求の範囲】
【請求項１】
内部に線材束の端子が取付けられるコネクター本体と、該コネクター本体に挿入・固定され端子をコネクター本体に係止する係止部材と、コネクター本体の外部に取付けられパネルの開口部に抜け止め係止されるクリップと、を備え、該クリップを開口部に抜け止め係止させることにより、コネクター本体をパネルに取付けるようにしたクリップ固定型コネクターにおいて、
前記コネクター本体の外周部の所定位置に一端部から他端部が延在し、クリップが摺動可能に挿通されるレール溝と、該レール溝の一端部に設けられ、クリップに衝止可能なストッパと、前記係止部材に立設され、クリップをレール溝の他端部から押圧可能な押圧部材と、を有することを特徴とするクリップ固定型コネクター。
【請求項２】
前記係止部材がコネクター本体に取付けられたとき、押圧部材がクリップに当接してクリップをレール溝に抜け止め係止することを特徴とする請求項１記載のクリップ固定型コネクター。
【請求項３】
内部に線材束の端子が取付けられるコネクター本体と、該コネクター本体に挿入・固定され端子をコネクター本体に係止する係止部材と、コネクター本体の外部に取付けられパネルの開口部に抜け止め係止されるクリップと、を備え、該クリップを開口部に抜け止め係止させることにより、コネクター本体をパネルに取付けるようにしたクリップ固定型コネクターにおいて、
コネクター本体の外周部の所定位置に一端部から他端部が延在し、クリップが摺動可能に挿通されるレール溝と、該レール溝の一端部に設けられ、クリップに衝止可能なストッパと、を設け、前記係止部材およびクリップを一体的に構成したことを特徴とするクリップ固定型コネクター。
【請求項４】
請求項１または２記載のクリップ固定型コネクターにクリップを取付ける方法において、
クリップをレール溝の他端部から該レール溝内に挿通した後、係止部材をコネクター本体に挿入することにより、押圧部材によってクリップをレール溝に沿って該レール溝の一端部側に移動させ、係止部材をコネクター本体に完全に挿入してコネクター本体に固定したとき、押圧部材によってクリップをストッパに衝止させてクリップをコネクター本体に取付け、押圧部材によってクリップをレール溝の他端部側から抜け止め係止することを特徴とするクリップ固定型コネクターにクリップを取付ける方法。
【発明の詳細な説明】
【０００１】
【発明の属する技術分野】
本発明は、クリップ固定型コネクターおよびクリップの取付け方法に関し、詳しくは、ワイヤハーネス等の端子同士を接続して車体や電気機器等のパネルに取付け可能なクリップ固定型コネクターおよびそのクリップをコネクター本体に取付ける方法に関する。
【０００２】
【従来の技術】
従来のこの種のクリップ固定型コネクターとしては、例えば、図５〜７に示すようなものが知られている。図５、６において、１はコネクター本体であり、このコネクター本体１の内部にはワイヤハーネスの端子が挿通される挿通孔１ａが形成されている。
【０００３】
また、コネクター本体１の内部には係止部材２が挿入されるようになっており、この係止部材２はコネクター本体１の一端側の開口からコネクター本体１内に挿入されたとき、所定箇所が挿通孔１ａ内に挿通されて端子に係止されるようになっている。
また、係止部材２には係止爪２ａが設けられており、この係止爪２ａがコネクター本体１の開口部１ｂの端部に係止することにより、係止部材２はコネクター本体１に固定される。また、係止部材２の外周両側部には一対の把持爪２ｂが設けられており、この把持爪２ｂは作業者に把持されるようになっている。
【０００４】
また、コネクター本体１の上面には一対のレール溝３ａ、３ｂが形成されており、このレール溝３ａ、３ｂにはクリップ５の底面に設けられた平板状の基部５ａの両側面が挿通される。
また、レール溝３ａ、３ｂの間の略中央部には係止突起４が設けられており、この係止突起４は基部５ａの略中央部を形成された凹部５ｂに係止されてクリップ５をコネクター本体１に係止するようになっている。
【０００５】
このような構成を有するクリップ固定型コネクターにあっては、図７に示すようにコネクター本体１の挿通孔１ａ内にワイヤハーネスの端子を挿入した後、把持部２ｂを把持しながら係止部材２をコネクター本体１に挿入して、係合爪２ａを開口部１ｂの端部に係止させることにより、係止部材２によって端子をコネクター本体１に係止する。なお、図７は係止部材２がコネクター本体１内に完全に挿入される直前の状態を示している。
【０００６】
次いで、クリップ５を係止部材２側に配設し、レール溝３ａ、３ｂに基部５ａを挿通してレール溝３ａ、３ｂに沿って移動させ、凹部５ｂが係止突起４を係止されることにより、係止突起４によってクリップ５の移動が規制されてクリップ５がコネクター本体１に取付けられる。
このように構成されたクリップ固定型コネクターは、クリップ５を車体や電気機器等の開口部に抜け止め係止させることにより、コネクター本体１をパネルに取付け、コネクター本体１に他のワイヤハーネスのコネクターを接続することができる。
【０００７】
【発明が解決しようとする課題】
しかしながら、このような従来のクリップ固定型コネクターにあっては、係止部材２をコネクター本体１に取付けた後、クリップ５をコネクター本体１に取付けていたため、クリップ固定型コネクターの組立工数が増大して組立てに要する時間が増大してしまい、クリップ固定型コネクターの組立作業の作業性が悪化してしまうという問題があった。
【０００８】
また、クリップ５をコネクター本体１に取付ける際に、基部５ａをレール溝３ａ、３ｂに挿通して凹部５ｂに係止突起４を係止させるようにしていたため、一定の係止力が必要となってしまうことからクリップ５の取付け作業を連続して行なっていくうちに作業者の負担が増大（手や肘等が痛くなる等）してしまうという問題もあった。
【０００９】
そこで本発明は、組立作業の作業性を向上させることができるとともに、組立作業時に作業者の負担を軽減させることができるクリップ固定型コネクターおよびクリップの取付け方法を提供することを目的としている。
【００１０】
【課題を解決するための手段】
請求項１記載の発明は、上記課題を解決するために、内部に線材束の端子が取付けられるコネクター本体と、該コネクター本体に挿入・固定され端子をコネクター本体に係止する係止部材と、コネクター本体の外部に取付けられパネルの開口部に抜け止め係止されるクリップと、を備え、該クリップを開口部に抜け止め係止させることにより、コネクター本体をパネルに取付けるようにしたクリップ固定型コネクターにおいて、前記コネクター本体の外周部の所定位置に一端部から他端部が延在し、クリップが摺動可能に挿通されるレール溝と、該レール溝の一端部に設けられ、クリップに衝止可能なストッパと、前記係止部材に立設され、クリップをレール溝の他端部から押圧可能な押圧部材と、を有することを特徴としている。
【００１１】
その場合、係止部材がコネクター本体に所定量だけ挿入されるとともに、クリップがレール溝に所定量だけ挿通された後、係止部材がコネクター本体にさらに挿入されると、押圧部材によってクリップが押圧され、係止部材の挿入に伴ってクリップがレール溝に沿って該レール溝の一端部に移動する。
そして、係止部材がコネクター本体に完全に挿入されると、クリップがストッパに衝止してコネクター本体に取付けられる。このため、係止部材の取付けを行なうのと同時にクリップの取付けも行なわれ、クリップおよび係止部材の取付作業時間が大幅に短縮され、クリップ固定型コネクターの組立作業の作業性が大幅に向上する。
【００１２】
請求項２記載の発明は、上記課題を解決するために、請求項１記載の発明において、前記係止部材がコネクター本体に取付けられたとき、押圧部材がクリップに当接してクリップをレール溝に抜け止め係止することを特徴としている。
その場合、押圧部材によってクリップの一端部がストッパに衝止されるとともに他端部が押圧部材によって抜け止め係止されることから、クリップをコネクター本体に容易に固定することができる。このため、従来のようにクリップを係止させる係止爪が不要になり、クリップをコネクター本体に取付ける際に従来のように作業者に多大な負担が加わることがない。
【００１３】
請求項３記載の発明は、上記課題を解決するために、内部に線材束の端子が取付けられるコネクター本体と、該コネクター本体に挿入・固定され端子をコネクター本体に係止する係止部材と、コネクター本体の外部に取付けられパネルの開口部に抜け止め係止されるクリップと、を備え、該クリップを開口部に抜け止め係止させることにより、コネクター本体をパネルに取付けるようにしたクリップ固定型コネクターにおいて、コネクター本体の外周部の所定位置に一端部から他端部が延在し、クリップが摺動可能に挿通されるレール溝と、該レール溝の一端部に設けられ、クリップに衝止可能なストッパと、を設け、前記係止部材およびクリップを一体的に構成したことを特徴としている。
【００１４】
その場合、クリップをレール溝に挿入するとともに係止部材をコネクター本体を挿入することで、係止部材の取付けを行なうのと同時にクリップの取付けも行なわれ、クリップおよび係止部材の取付作業時間が大幅に短縮され、クリップ固定型コネクターの組立作業の作業性が大幅に向上する。
これに加えて、係止部材をコネクター本体に挿入・固定することでクリップをコネクター本体に固定することができるので、従来のようにクリップを係止させる係止爪が不要になり、クリップをコネクター本体に取付ける際に従来のように作業者に多大な負担が加わることがない。この結果、クリップ固定型コネクターの組立作業時に作業者の負担を軽減させることができる。
【００１５】
請求項４記載の発明は、上記課題を解決するために、請求項１または２記載のクリップ固定型コネクターにクリップを取付ける方法において、クリップをレール溝の他端部から該レール溝内に挿通した後、係止部材をコネクター本体に挿入することにより、押圧部材によってクリップをレール溝に沿って該レール溝の一端部側に移動させ、係止部材をコネクター本体に完全に挿入してコネクター本体に固定したとき、押圧部材によってクリップをストッパに衝止させてクリップをコネクター本体に取付け、押圧部材によってクリップをレール溝の他端部側から抜け止め係止することを特徴としている。
【００１６】
その場合、係止部材の取付けを行なうのと同時にクリップの取付けも行なわれ、クリップおよび係止部材の取付作業時間が大幅に短縮され、クリップ固定型コネクターの組立作業の作業性が大幅に向上する。これに加えて、従来のようにクリップを係止させる係止爪が不要になり、クリップをコネクター本体に取付ける際に従来のように作業者に多大な負担が加わることがない。
【００１７】
【発明の実施の形態】
以下、本発明の実施例を図面に基づいて説明する。
図１〜３は本発明に係るクリップ固定型コネクターおよびクリップの取付け方法の第１実施例を示す図であり、請求項１、２、４何れかに記載の発明に対応している。
【００１８】
まず、構成を説明する。図１において、１１はコネクター本体であり、このコネクター本体１１の内部にはワイヤハーネスの端子が挿通される図示しない複数の挿通孔（従来例と全く同様の構成）が形成されている。
また、コネクター本体１１の内部には係止部材１２が挿入されるようになっており、この係止部材１２はコネクター本体１１の一端側の開口からコネクター本体１１内に挿入されたとき、所定箇所が挿通孔内に挿通されて端子に係止されるようになっている。
【００１９】
また、コネクター本体１１の上部には端部に切欠き部１３ａを有する開口部１３が形成されており、係止部材１２はこの開口部１３の端部に係止される係止爪１２ａを有し、この端部に係止爪１２ａが係止されることによって係止部材１２がコネクター本体１１に固定される。
また、コネクター本体１１の上面の端部側には一端部から他端部に延在する一対のレール溝１４ａ、１４ｂが設けられており、このレール溝１４ａ、１４ｂはコネクター本体１１と一体的に形成された上面Ｌ字状の部材とコネクター本体１１の上面との間に形成された隙間から構成されている。
【００２０】
また、コネクター本体１１には車体や電気機器等のパネルの開口部に抜け止め係止されるクリップ１５が取付けられるようになっており、このクリップ１５は底面に設けられた基部１５ａの両側面がレール溝１４ａ、１４ｂに挿通されるようになっている。また、レール溝１４ａ、１４ｂの一端部にはストッパ１６ａ、１６ｂが形成されており、基部１５ａの一端部はこのストッパ１６ａ、１６ｂに衝止される。
【００２１】
一方、係止部材１２の上面には押圧部材１７が立設されており、この押圧部材１７は切欠き部１３ａの幅よりも小さい幅を有し、クリップ１５をレール溝１４ａ、１４ｂの他端部から押圧するようになっている。
次に、図３に基づいて係止部材１２とクリップ１５をコネクター本体１１に取付ける方法を説明する。
【００２２】
まず、コネクター本体１１にワイヤハーネスの端子を挿入した後、係止部材１２をコネクター本体１１に所定量だけ挿入する。このとき、切欠き部１３ａを通して押圧部材１７が開口部１３に進入する。（図３（ａ）参照）。次いで、クリップ１５の基部１５ａをレール溝１４ａ、１４ｂの他端部に挿通した後、係止部材１２をコネクター本体１１にさらに挿入する（図３（ｂ）参照）。
【００２３】
このとき、押圧部材17がクリップ15をレール溝14ａ、14ｂの他端部側から押圧していくため、クリップ15がレール溝14ａ、14ｂに沿ってレール溝14ａ、14ｂの一端部側に移動する。
そして、係止部材12をコネクター本体11に完全に挿入して係止爪12ａが開口部13の端部に係止されたとき、押圧部材17によってクリップ15の基部15ａの一端部がストッパ16ａ、16ｂに衝止されてコネクター本体11に取付けられ、押圧部材17によってクリップ15がレール溝14ａ、14ｂの他端部側から抜け止め係止される。
【００２４】
このように構成されたクリップ固定型コネクターは、クリップ１５を車体や電気機器等の開口部に抜け止め係止させることにより、コネクター本体１１をパネルに取付け、コネクター本体１１に他のワイヤハーネスのコネクターを接続することができる。
このように本実施例では、コネクター本体１１の上面端部側に一端部から他端部が延在し、クリップ１５の基部１５ａが摺動可能に挿通されるレール溝１４ａ、１４ｂと、このレール溝１４ａ、１４ｂの一端部に設けられ、クリップ１５の基部１５ａに衝止可能なストッパ１６ａ、１６ｂと、係止部材１２に立設され、クリップ１５をレール溝１４ａ、１４ｂの他端部から押圧可能な押圧部材１７と、を設けたため、クリップ１５の基部１５ａをレール溝１４ａ、１４ｂに挿入するとともに係止部材１２をコネクター本体１１を挿入することで、係止部材１２の取付けを行なうのと同時にクリップ１５の取付けも行なうことができ、クリップ１５および係止部材１２の取付作業時間を大幅に短縮することができる。この結果、クリップ固定型コネクターの組立作業の作業性を大幅に向上させることができる。
【００２５】
また、従来のようにクリップを係止させる係止爪を不要にでき、クリップ１５をコネクター本体１１に取付ける際に従来のように作業者に多大な負担が加わるのを抑制することができる。
図４は本発明に係るクリップ固定型コネクターおよびクリップの取付け方法の第２実施例を示す図であり、請求項３記載の発明に対応している。
【００２６】
図４に示すように、コネクター本体２０の上面には一端部から他端部に延在する一対のレール溝２１（一方側のみ図示）が設けられており、このレール溝２１はコネクター本体２０と一体的に形成された上面Ｌ字状の部材とコネクター本体２０の上面との間に形成された隙間から構成されている。
また、第１実施例と同様の機能を有する係止部材２２にはクリップ２３と一体的に設けられた平板状の基部２３ａが取付けられており、これら係止部材２２、クリップ２３および基部２３ａは一体成形されている。また、係止部材２２の両側部には凸部２２ａが形成されており、この凸部２２ａはコネクター本体２０の溝部２０ａに係合するようになっている。
【００２７】
また、基部２３ａの両側部はレール溝２１に設けられており、この基部の一端部はレール溝２１の一端部に形成されたストッパ２４に衝止されるようになっている。
このように構成された係止部材２２およびクリップ２３をコネクター本体２０に取付けるには、コネクター本体２０にワイヤハーネスの端子を挿入した後、基部２３ａをレール溝２１に挿通してレール溝２１の一端部側に移動させていく。
【００２８】
そして、基部２３ａを移動させていくにつれて係止部材２２がコネクター本体２０に挿入される。さらに移動させると基部２３ａの一端部がストッパ２４に衝止されると同時に、凸部２２ａが溝部２０ａに係合されて係止部材２２およびクリップ２３がコネクタ本体２０に取付けられる。このように構成しても第１実施例と同様の効果を得ることができる。
【００２９】
【発明の効果】
請求項１記載の発明によれば、係止部材の取付けを行なうのと同時にクリップの取付けを行なうことができ、クリップおよび係止部材の取付作業時間を大幅に短縮して、クリップ固定型コネクターの組立作業の作業性を大幅に向上させることができる。
【００３０】
請求項２記載の発明によれば、従来のようにクリップを係止させる係止爪を不要にでき、クリップをコネクター本体に取付ける際に従来のように作業者に多大な負担が加わるのを抑制することができる。
請求項３記載の発明によれば、クリップをレール溝に挿入するとともに係止部材をコネクター本体を挿入することで、係止部材の取付けを行なうのと同時にクリップの取付けを行なうことができ、クリップおよび係止部材の取付作業時間を大幅に短縮して、クリップ固定型コネクターの組立作業の作業性を大幅に向上させることができる。
【００３１】
これに加えて、係止部材をコネクター本体に挿入・固定することでクリップをコネクター本体に固定することができるので、従来のようにクリップを係止させる係止爪が不要になり、クリップをコネクター本体に取付ける際に従来のように作業者に多大な負担が加わるのを抑制することができる。
請求項４記載の発明によれば、係止部材の取付けを行なうのと同時にクリップの取付けも行なうことができ、クリップおよび係止部材の取付作業時間を大幅に短縮して、クリップ固定型コネクターの組立作業の作業性を大幅に向上させることができる。これに加えて、従来のようにクリップを係止させる係止爪を不要にでき、クリップをコネクター本体に取付ける際に従来のように作業者に多大な負担が加わるのを抑制することができる。この結果、クリップ固定型コネクターの組立作業時に作業者の負担を軽減させることができる。
【図面の簡単な説明】
【図１】本発明に係るクリップの取付け方法を達成するためのクリップ固定型コネクターの第１実施例を示す図であり、（ａ）はその外観斜視図、（ｂ）はその側面図、（ｃ）はその上面図である。
【図２】第１実施例のクリップを示す図であり、（ａ）はその正面図、（ｂ）はその側面図、（ｃ）はその下面図である。
【図３】第１実施例のクリップ係止部材をコネクター本体に取付ける状態を示す図である。
【図４】本発明に係るクリップの取付け方法を達成するためのクリップ固定型コネクターの第２実施例を示す図であり、コネクター本体とクリップおよび係止部材の側面図である。
【図５】従来のクリップ固定型コネクターを示す図であり、（ａ）はその外観斜視図、（ｂ）はその正面図、（ｃ）はその上面図である。
【図６】そのクリップを示す図であり、（ａ）はその正面図、（ｂ）はその側面図、（ｃ）はその下面図である。
【図７】そのクリップを係止部材の取付けが終了したコネクター本体に取付ける直前の状態を示す図である。
【符号の説明】
１１、２０    コネクター本体
１２、２２    係止部材
１４ａ、１４ｂ、２１    レール溝
１５、２３    クリップ
１６ａ、１６ｂ、２４    ストッパ
１７    押圧部材
【図１】
0003584584.tif 000002
【図２】
0003584584.tif 000003
【図３】
0003584584.tif 000004
【図４】
0003584584.tif 000005
【図５】
0003584584.tif 000006
【図６】
0003584584.tif 000007
【図７】
0003584584.tif 000008